(57)【特許請求の範囲】
【請求項１】
前面及び両側面を開口したショーケース本体と、ショーケース本体内に設けられ商品を載置する棚と、商品の冷却・加温状態を表示する表示板とを備えたショーケースにおいて、
上下に幅を有する前記表示板を棚の前側及び左右側の周縁に沿って該棚の上面から上方に突出するよう略コ字状に形成するとともに、該表示板の上側には上向きに、また、下側には下向きにそれぞれ異なる表示を施してなり、
前記棚の前側及び左右側の周縁には、内側に前記表示板を取り外し自在に固定するとともに、該表示板の下側を覆う高さとなっている隠蔽部を設けた
ことを特徴とするショーケース。
【発明の詳細な説明】
【０００１】
【発明の属する技術分野】
本発明は、コンビニエンスストアやスーパーマーケット等で商品陳列に用いられるショーケースに関するものである。
【０００２】
【従来の技術】
従来、この種のショーケースとしては、前面及び両側面を開口した断熱性のショーケース本体と、両側面に設けられた透明板と、ショーケース本体内に上下に並設され商品を載置する棚と、棚の前側の周縁に沿って形成された商品の冷却・加温状態を表示する表示部材と、ショーケース本体内を冷却する蒸発器と、各棚に設けられた加温用のヒータとを備えたものが知られている。
【０００３】
このショーケースによれば、商品の冷却・加温が選択できるようになっており、商品の冷却時には冷却用の表示部材を設置し、商品の加温時には加温用の表示部材を設置し、この表示部材により購買者に商品の冷却・加温状態を視認させるようになっている。
【０００４】
【発明が解決しようとする課題】
しかしながら、前記ショーケースにおいては、表示部材が棚の前側に設けられているため、購買者がショーケースの側方から商品を確認する際に、商品の冷却・加温状態を把握することができないという問題点があった。従って、コンビニエンスストア等の店内で、ショーケース側方を購買者が頻繁に通行する場合などは、購買者に商品の冷却・加温状態を認識させることができず、冷却商品と加温商品の識別効果があがらないという問題点があった。
【０００５】
本発明は前記問題点に鑑みてなされたものであり、その目的とするところは、前方に加え、側方からも商品の冷却・加温状態等を把握することのできるショーケースを提供することにある。
【０００６】
【課題を解決するための手段】
本発明は前記目的を達成するために、前面及び両側面を開口したショーケース本体と、ショーケース本体内に設けられ商品を載置する棚と、商品の冷却・加温状態を表示する表示板とを備えたショーケースにおいて、上下に幅を有する前記表示板を棚の前側及び左右側の周縁に沿って該棚の上面から上方に突出するよう略コ字状に形成するとともに、該表示板の上側には上向きに、また、下側には下向きにそれぞれ異なる表示を施してなり、前記棚の前側及び左右側の周縁には、内側に前記表示板を取り外し自在に固定するとともに、該表示板の下側を覆う高さとなっている隠蔽部を設けている。これにより、購買者はショーケースの前方及び側方から冷却・加温状態等を把握することができ、従来の前方からのみ冷却・加温状態が把握可能なものに比べ、購買者に対する表示部材の視認性を向上させることができる。また、商品の冷却・加温を変更可能なショーケースにおいて、一つの表示板で冷却及び加温の表示を行うことができる。
【０００８】
【発明の実施の形態】
図１乃至図４は本発明のショーケースの一実施形態を示すもので、図１はショーケースの外観斜視図、図２はショーケースの側面断面図、図３は棚及び表示部材の斜視図、図４は化粧枠を外した状態の棚の斜視図である。
【０００９】
図１に示すように、このショーケースは、前面及び両側面を開口したショーケース本体１と、ショーケース本体１の両側面に設けられた一対の透明板２と、ショーケース本体１内に設けられた上段・中段・下段の計三段からなる棚３と、各棚３ごとに着脱自在に設けられた表示板４とを備えている。
【００１０】
図２に示すように、ショーケース本体１内には、その背面側下方に冷却用の蒸発器５と、その下部に蒸発器用送風機６とが備えられている。蒸発器５はショーケース本体１下方の機械室７内に設けられた凝縮器８及び圧縮機９とともに冷凍回路を構成している。また、上段の棚３は商品加温用のヒータ１０を内蔵しており、季節や販売商品に応じて、商品の冷却・加温を変更するようになっている。このショーケースの場合、ショーケース本体１内上部と、上段の棚３の下部とに冷気の吐出口を有し、何れか一方の吐出口から冷気が吐出されるようになっているので、全ての棚３の商品を冷却する形態と、上段の棚３の商品を加温して中段・下段の商品を冷却する形態の何れかを選択できるようになっている。
【００１１】
図３に示すように、上段の棚３はショーケースの前後方向及び左右方向に延びる箱形に形成され、その上面下部には前述のヒータ１０を内蔵している。この棚３に載置される商品の加温時にはこのヒータ１０が作動して棚３の上面を介して商品が加温されるようになっている。また、棚３の前端及び左右両端には、上方に延びる隠蔽部３ａが設けられ、表示板４の下側を隠蔽するとともに、表示板４を固定している。即ち、表示板４は棚３の周縁に沿って固定されている。また、各棚３には広告表示用の化粧枠３ｂが着脱自在に設けられている。
【００１２】
表示板４は断面コ字状に形成され、「あったか〜い」の文字及び赤色の色彩で商品が加温の状態であることを表示する加温表示部４ａと、「つめた〜い」の文字及び青色の色彩で商品が冷却の状態であることを表示する冷却表示部４ｂとを有している。前記加温表示部４ａは表示板４のほぼ上側半分に形成され、前記冷却表示部４ｂは表示板のほぼ下側半分に形成されている。即ち、図４（ａ）に示すように、表示板４上側の加温表示部４ａが目視可能となっている。また、表示板４は上下に反転が可能であり、図４（ｂ）に示すように、冷却表示部４ｂを目視可能とすることもできる。尚、冷却表示部４ｂの文字は上下逆さまとなっていて、冷却表示部４ｂが上下に反転したときに購買者が文字を視認できるようになっている。
【００１３】
以上のように構成されたショーケースにおいては、表示板４が略コ字状に形成されているので、購買者はショーケースの前方に加え、各透明板２を通じて側方からも表示板４を視認することができ、冷却商品と加温商品の識別効果を向上させることができる。
【００１４】
また、一つの表示板４で冷却・加温の２種類の表示部を設けたので、商品の冷却・加温の状態に対応して、表示板４の上下を反転することにより、容易に表示の変更を行うことができ、実用に際して極めて有利である。
【００１５】
さらに、例えば棚３が前後方向に移動可能なスライド式の棚である場合、棚を前方に移動させた時に隠蔽部３ａ及び表示板４により商品の脱落を防止することができる。
【００１６】
尚、前記実施形態においては、表示板４は商品の冷却・加温の状態を表示するものを示したが、商品の広告等を表示するものであってもよい。
【００１７】
また、前記実施形態においては、表示板４の下側を隠蔽するものを示したが、例えば隠蔽部３ａを上方に延長するとともに、隠蔽部３ａの下側に表示板４の下側を目視可能とする窓を設け、表示板４の上側を隠蔽するようにしても前記実施形態と同様の作用効果を得ることができる。
【００１８】
また、前記実施形態においては、中段及び下段の棚３にヒータが内蔵されていないものを示したが、これらの棚３も上段の棚３と同様に、ヒータが内蔵されたものであってもよい。この場合、全ての棚３の商品を加温する形態も選択可能となる。
【００１９】
【発明の効果】
以上説明したように、本発明に係るショーケースによれば、購買者はショーケースの前方に加え、側方からも表示板を視認することができる。従って、例えば表示板が商品の冷却・加温状態を表示するものであれば、冷却商品と加温商品の識別効果を向上させることができる。また、例えば商品の冷却・加温の状態に対応して、表示板の上下を反転することにより、容易に表示の変更を行うことができ、実用に際して極めて有利である。
【図面の簡単な説明】
【図１】本発明の一実施形態を示すショーケースの外観斜視図
【図２】ショーケースの側面断面図
【図３】棚及び表示板の斜視図
【図４】化粧枠を外した状態の棚の斜視図
【符号の説明】
１…ショーケース本体、３…棚、３ａ…隠蔽部、４…表示板、４ａ…加温表示部、４ｂ…冷却表示部。
【図１】
0003725404.tif 000002
【図２】
0003725404.tif 000003
【図３】
0003725404.tif 000004
【図４】
0003725404.tif 000005